(57)【特許請求の範囲】
【請求項１】
断熱壁のコーナー部外面に取り付けられたコーナーバンパーを備えて成るショーケースにおいて、
前記断熱壁のコーナー部外面に金具を取り付け、この金具に前記コーナーバンパーをネジ止めすると共に、該コーナーバンパーの内面にリブを突設し、前記金具に係合する溝を前記リブに形成したことを特徴とするショーケース。
【請求項２】
断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、
前記断熱壁のコーナー部外面に金具を取り付け、この金具に前記コーナーバンパーをネジ止めすると共に、該コーナーバンパーの内面にリブを突設し、前記金具に係合する溝を前記リブに形成したことを特徴とするショーケース。
【請求項３】
金具は、コーナーを構成する断熱壁の二面に渡って取り付けられると共に、コーナーバンパーの裏面に当接してネジ止めされる当接部を両側端に備え、中央には、前記コーナーバンパーのリブに形成された溝に係合する係合部を備えていることを特徴とする請求項１又は請求項２のショーケース。
【発明の詳細な説明】
【０００１】
【発明の属する技術分野】
本発明は、例えばスーパーマーケットやコンビニエンスストアなどの店内に据え付けられ。食品などの商品を陳列保存する低温ショーケースなどのショーケースに関するものである。
【０００２】
【従来の技術】
従来のこの種ショーケースは、例えば特開平９−５６５３７号公報（Ｆ２５Ｄ２３／０６）に示されている。以下、図５を参照しながら従来のこの種ショーケース１００の構造について説明する。
【０００３】
図５のショーケース１００は所謂平型のオープンショーケースであり、本体を構成する断熱壁１０１の外面には、バンパー１０２が取り付けられ、ショッピングカートなどの衝突から断熱壁１０１を保護している。
【０００４】
この場合、バンパー１０２は直線状のバンパー本体１０３・・・とコーナーバンパー１０４・・・とから構成され、バンパー本体１０３・・・が相互に突き合わされるコーナー部に前記コーナーバンパー１０４が配置される。そして、コーナーバンパー１０４の両端部は各バンパー本体１０３、１０３の端部に被さって重合すると共に、同図に示すように断熱壁１０１にネジ１０６にて固定され、それによって、断熱壁１０１のコーナー部を覆う構造とされていた。
【０００５】
【発明が解決しようとする課題】
ところで、近年この種ショーケースでは金属製のバンパーと比較して柔らかみのあるデザイン上の効果やコスト面での有利さから、バンパーを樹脂化することが進められている。しかしながら、図５の如き構造で従来の金属製バンパーをそのまま樹脂製のバンパーに置き換えると、衝撃に対する強度が著しく低下する。
【０００６】
特にコーナーバンパー１０４は、バンパー本体１０２に被さっているだけで断熱壁１０１に直接接触しておらず、その状態でネジ止めされているのみであるので、ショッピングカートなどが衝突すると、その強い衝撃によって上下・左右にズレてしまうと共に、最悪の場合には破損・脱落してしまう問題があった。
【０００７】
本発明は係る従来の技術的課題を解決するために成されたものであり、ショーケースに取り付けられたコーナーバンパーの取り付け強度を向上させることを目的とするものである。
【０００８】
【課題を解決するための手段】
請求項１の発明のショーケースは、断熱壁のコーナー部外面に取り付けられたコーナーバンパーを備えて成るものであって、断熱壁のコーナー部外面に金具を取り付け、この金具にコーナーバンパーをネジ止めすると共に、該コーナーバンパーの内面にリブを突設し、前記金具に係合する溝を前記リブに形成したことを特徴とする。
【０００９】
請求項２の発明のショーケースは、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るものであって、断熱壁のコーナー部外面に金具を取り付け、この金具にコーナーバンパーをネジ止めすると共に、該コーナーバンパーの内面にリブを突設し、前記金具に係合する溝を前記リブに形成したことを特徴とする。
【００１０】
本発明によれば、断熱壁のコーナー部外面に取り付けられるコーナーバンパーを、断熱壁のコーナー部外面に取り付けられた金具にネジ止めする構成としたので、コーナーバンパーは金具に保持されて断熱壁に固定され、取付強度が著しく向上する。これにより、例えば樹脂製のコーナーバンパーを用いた場合でも、衝撃に対して十分なる強度を確保できるようになり、位置ズレや脱落・破損などの発生を未然に回避することが可能となるものである。
【００１１】
特に、コーナーバンパーの内面にリブを突設し、このリブには金具に係合する溝を形成したので、リブの形成によりコーナーバンパー自体の強度が向上するのに加えて、リブの溝と金具が係合することにより、衝撃が加わった場合の位置ズレ防止効果が一段と向上するものである。
【００１２】
請求項３の発明のショーケースは、上記各発明において金具は、コーナーを構成する断熱壁の二面に渡って取り付けられると共に、コーナーバンパーの裏面に当接してネジ止めされる当接部を両側端に備え、中央には、コーナーバンパーのリブに形成された溝に係合する係合部を備えていることを特徴とする。
【００１３】
請求項３の発明によれば、上記各に加えてコーナーを構成する断熱壁の二面に渡って金具を取り付けると共に、コーナーバンパーの裏面に当接してネジ止めされる当接部を金具の両側端に形成し、金具の中央には、コーナーバンパーのリブに形成された溝に係合する係合部を形成したので、コーナーバンパーはコーナーを構成する断熱壁の二面に渡る金具の両側端において支持され、且つ、中央部では係合部がリブの溝に係合することになる。
【００１４】
これにより、コーナーバンパーの取付強度は著しく向上し、更なる位置ズレ防止及び脱落・破損防止効果を奏するものである。
【００１５】
【発明の実施の形態】
次に、図面に基づき本発明の実施形態を詳述する。図１は本発明の実施例としての平型ショーケース１の斜視図、図２は平型ショーケース１のコーナー部の拡大分解斜視図である。
【００１６】
本発明のショーケース１は、スーパーマーケットなどの店舗に設置される所謂平型の低温ショーケースであり、図１に示す如く上方に向けて開口し、内部に上面開口の貯蔵室３が形成された断熱壁（断熱箱体）６にて本体が構成されている。
【００１７】
断熱壁６の下部には機械室７が構成されており、この機械室７内には貯蔵室３を冷却するための冷却装置を構成する図示しない圧縮機や凝縮器などが設置されている。
【００１８】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００１９】
一方、断熱壁６の開口縁の各辺外側には、ハンドレール５が取り付けられていると共に、ショーケース１の各コーナー部には、開口の上方に向かって垂直に支柱８・・が取り付けられ、各支柱８・・の間にはそれぞれ透明板４・・が取り付けられている。
【００２０】
また、前記断熱壁６の外面下端にはバンパー９・・・が取り付けられている。このバンパー９は、直線状で断面略Ｅ字状の硬質樹脂製バンパー本体１０・・・（４本）と、バンパー本体１０、１０が付き合わされるコーナー部に取り付けられる硬質樹脂製コーナーバンパー１１・・・（４個）とから構成される。
【００２１】
尚、このコーナーバンパー１１は前記ハンドレール５が付き合わされるコーナー部にも同様に取り付けられている。
【００２２】
このコーナーバンパー１１は、図３に示す如く断面略コ字状を呈し、全体としては直角を構成するよう所定曲率で屈曲された形状を呈している。また、コーナーバンパー１１の角部１１Ａの内面には上下及び水平のリブ１２、１３が一体に突設されており、更に、上下のリブ１２の中央には矩形状の溝１４が形成され、水平のリブ１３はこの溝１４の底面と面一とされている。
【００２３】
また、角部１１Ａの左右であって、両側端から少許内側に入った位置にはネジ孔１５、１５がそれぞれ形成されている。
【００２４】
一方、断熱壁６のコーナー部外面には金具１６が取り付けられる。この金具１６は短冊状の鋼板を屈曲して構成されており、図４に示す如く中央の係合部１７と、この係合部１７の両側から後退して相互に略直角を成すよう外方に延在する取付部１８、１８と、各取付部１８、１８の外端から略直角に起立した後、内方に略直角に再び折曲された当接部１９、１９が構成されている。
【００２５】
そして、取付部１８、１８にはネジ孔２１がそれぞれ穿設されると共に、当接部１９、１９にもネジ孔２２がそれぞれ穿設されている。
【００２６】
以上の構成で、コーナーバンパー１１の取付手順を説明する。尚、バンパー本体１０・・・は断熱壁６の外面に取り付けられているものとすると、次に先ず金具１６を断熱壁６のコーナー部外面に取り付ける。この場合、金具１６の係合部１７は断熱壁６のコーナー部の延長上に位置し、両取付部１８、１８は断熱壁６の外面に密着される。その状態で、タッピングネジ２４、２４をネジ孔２１、２１に挿入して断熱壁６にねじ込む。
【００２７】
これによって、金具１６はコーナーを構成する断熱壁６の二面に渡って取り付けられることになる。
【００２８】
次に、この状態でコーナーバンパー１１を断熱壁６のコーナー部に宛う。このとき、コーナーバンパー１１の両端部はバンパー本体１０、１０の端部に被さる。また、金具１６の係合部１７はリブ１２の溝１４内に進入して略キッチリと係合し、且つ、外面はリブ１３に当接する。
【００２９】
また、金具１６の両側端に位置する当接部１９、１９は、コーナーバンパー１１の両側部の裏面に当接し、ネジ孔２２はネジ孔１５の内側に合致する。その状態で、ネジ２６、２６をネジ孔１５、１５に挿入し、ネジ孔２２、２２に螺合させてコーナーバンパー１１を金具１６に固定する。
【００３０】
係る構成により、コーナーバンパー１１は金具１６に保持されて断熱壁６に固定されるので、取付強度が著しく向上する。特にコーナーバンパー１１の内面にはリブ１２、１３が突設され、このリブ１２に形成された溝１４は金具１６の係合部１７が係合するので、リブ１２、１３の形成によりコーナーバンパー１１自体の強度が向上するのに加えて、リブ１２の溝１４と金具１６の係合部１７が係合することにより、衝撃が加わった場合の位置ズレ防止効果も一段と向上する。
【００３１】
また、金具１６はコーナーを構成する断熱壁６の二面に渡って固定されており、更に、その両側端に形成された当接部１９、１９がコーナーバンパー１１の裏面に当接して、そこにコーナーバンパー１１がネジ止めされるので、コーナーバンパー１１は金具１６の両側端において支持され、且つ、中央部では係合部１７がリブ１２の溝１４に係合することになる。
【００３２】
これらにより、実施例の如く樹脂製のコーナーバンパー１１を用いた場合でも、衝撃に対して十分なる強度を確保できるようになり、位置ズレや脱落・破損などの発生を未然に回避することが可能となる。
【００３３】
尚、上記ハンドレール５のコーナーバンパー１１も金具１６によって同様に取り付けられているものである。
【００３４】
【発明の効果】
以上詳述した如く本発明によれば、断熱壁のコーナー部外面に取り付けられるコーナーバンパーを、断熱壁のコーナー部外面に取り付けられた金具にネジ止めする構成としたので、コーナーバンパーは金具に保持されて断熱壁に固定され、取付強度が著しく向上する。これにより、例えば樹脂製のコーナーバンパーを用いた場合でも、衝撃に対して十分なる強度を確保できるようになり、位置ズレや脱落・破損などの発生を未然に回避することが可能となるものである。
【００３５】
特に、コーナーバンパーの内面にリブを突設し、このリブには金具に係合する溝を形成したので、リブの形成によりコーナーバンパー自体の強度が向上するのに加えて、リブの溝と金具が係合することにより、衝撃が加わった場合の位置ズレ防止効果が一段と向上するものである。
【００３６】
請求項３の発明によれば、上記各発明に加えてコーナーを構成する断熱壁の二面に渡って金具を取り付けると共に、コーナーバンパーの裏面に当接してネジ止めされる当接部を金具の両側端に形成し、金具の中央には、コーナーバンパーのリブに形成された溝に係合する係合部を形成したので、コーナーバンパーはコーナーを構成する断熱壁の二面に渡る金具の両側端において支持され、且つ、中央部では係合部がリブの溝に係合することになる。
【００３７】
これにより、コーナーバンパーの取付強度は著しく向上し、更なる位置ズレ防止及び脱落・破損防止効果を奏するものである。
【図面の簡単な説明】
【図１】  本発明の実施例としての平型ショーケースの斜視図である。
【図２】  図１の平型ショーケースのコーナー部の拡大分解斜視図である
【図３】  コーナーバンパーの後方斜視図である。
【図４】  金具の斜視図である。
【図５】  従来の平型ショーケースのコーナー部の拡大分解斜視図である。
【符号の説明】
１  平型ショーケース
６  断熱壁
９  バンパー
１０  バンパー本体
１１  コーナーバンパー
１２、１３  リブ
１４  溝
１６  金具
１７  係合部
１９  当接部
２４、２６  ネジ
【図１】
0003802255.tif 000002
【図２】
0003802255.tif 000003
【図３】
0003802255.tif 000004
【図４】
0003802255.tif 000005
【図５】
0003802255.tif 000006